(57)【要約】【課題】電子機器のリモコン送信装置を接続するリモコンケーブルコネクタに対し、リモコンケーブルで接続可能とするとともにリモコン送信装置からの赤外線信号を受光できる範囲を拡大した外付けリモコン受光装置を提供するとともに、これを備えた電子機器を提供する。【解決手段】本発明に係る外付けリモコン受光装置２０は、電子機器１におけるリモコン送信装置３を接続するためのリモコンケーブルコネクタ６に対し、リモコン送信装置３を接続する場合と同一のリモコンケーブル５を利用して接続される。また、この外付けリモコン受光装置２０は、外部からの赤外線の侵入を遮蔽する筐体と、リモコン送信装置３からの赤外線信号３ａを受光して電気信号に変換する、筐体内に収納されたリモコン受光部２２と、変換された電気信号を伝送するリモコンケーブル５を接続するための出力用コネクタ２１とを備えている。【選択図】図１
2010268290.tif 000002
【特許請求の範囲】
【請求項１】
電子機器におけるリモコン送信装置を接続するためのリモコンケーブルコネクタに対し、リモコン送信装置を接続する場合と同一のリモコンケーブルを利用して接続される外付けリモコン受光装置であって、
外部からの赤外線の侵入を遮蔽する筐体と、リモコン送信装置からの赤外線信号を受光して電気信号に変換する、筐体内に収納されたリモコン受光部と、変換された電気信号を伝送するリモコンケーブルを接続するための出力用コネクタとを備えている
ことを特徴とする外付けリモコン受光装置。
【請求項２】
前記筐体は、着脱自在の取付手段により被固定物に固定されるように構成されていることを特徴とする請求項１記載の外付けリモコン受光装置。
【請求項３】
前記出力用コネクタは、信号を伝送するための信号端子、接地用のＧＮＤ端子及び電子機器から電力の供給を受ける電源端子を備えていることを特徴とする請求項１又は２記載の外付けリモコン受光装置。
【請求項４】
請求項１〜３の何れか１項記載の外付けリモコン受光装置において、前記リモコン受光部にて受信されて変換された電気信号を増幅する信号増幅部が設けられていることを特徴とする外付けリモコン受光装置。
【請求項５】
請求項１〜４の何れか１項記載の外付けリモコン受光装置において、前記出力用コネクタが複数個設けられていることを特徴とする外付けリモコン受光装置。
【請求項６】
請求項１〜５の何れか１項記載の外付けリモコン受光装置において、他の外付けリモコン受光装置をリモコンケーブルにより接続するための入力用コネクタが１個又は複数個設けられていることを特徴とする外付けリモコン受光装置。
【請求項７】
請求項６記載の外付けリモコン受光装置において、外部電源から電力の供給を受けるための電源用コネクタと、前記出力用コネクタの電源端子から供給される電源と前記電源端子から供給される電源とを選択する電源切換部とを備えていることを特徴とする外付けリモコン受光装置。
【請求項８】
請求項１〜５の何れか１項記載の外付けリモコン受光装置において、出力用コネクタ、あるいはこの出力用コネクタと筐体との間に形成された隙間から侵入する赤外線ノイズが前記リモコン受光部に到達しないように、筐体の内部に赤外線ノイズを遮蔽する遮蔽物が設けられていることを特徴とする外付けリモコン受光装置。
【請求項９】
請求項６記載の外付けリモコン受光装置において、出力用コネクタ、入力用コネクタ、あるいはこれらのコネクタと筐体との間に形成された隙間から侵入する赤外線ノイズが前記リモコン受光部に到達しないように、筐体の内部に赤外線ノイズを遮蔽する遮蔽物が設けられていることを特徴とする外付けリモコン受光装置。
【請求項１０】
請求項７記載の外付けリモコン受光装置において、出力用コネクタ、入力用コネクタ、電源用コネクタ、あるいは、これらのコネクタと筐体との間に形成された隙間から侵入する赤外線ノイズが前記リモコン受光部に到達しないように、筐体の内部に赤外線ノイズを遮蔽する遮蔽物が設けられていることを特徴とする外付けリモコン受光装置。
【請求項１１】
前記リモコン送信装置を接続するためのリモコンケーブルコネクタを備えるととともに、このリモコンケーブルコネクタに対しリモコン送信装置を接続する場合と同一のリモコンケーブルを利用して請求項１〜１０の何れか１項に記載の外付けリモコン受光装置を接続可能としたことを特徴とする電子機器。
【請求項１２】
前記電子機器はプロジェクタであることを特徴とする請求項１１記載の電子機器。
【発明の詳細な説明】
【技術分野】
【０００１】
本発明は、リモコン受光装置に係り、特に、赤外線ノイズ、障害物等のためにリモコン送信装置から出射される赤外線信号をリモコン受光装置で受光することが阻害される場合や、設置条件によりリモコンケーブルによるリモコン送信装置の接続が不都合な場合に、対応可能とした外付けリモコン受光装置及びこれを利用した電子機器に関する。ここで、外付けリモコン受光装置とは、リモコンケーブルで電子機器に接続されるリモコン受光装置のことをいう。
【背景技術】
【０００２】
近年、ワイヤレスリモコンにより操作される電子機器が多く用いられている。しかしながら、操作室が電子機器とは異なる他の部屋にあって赤外線信号が届かないような場合において、リモコン送信装置からの赤外線信号を受光可能とするとともにリモコン送信装置をリモコンケーブルで接続可能とした電子機器が用いられている。そのような一例として、ワイヤレスリモコン送信装置及びワイヤードリモコン送信装置からの信号を受信可能とするとともに、前者からの信号に対し後者からの信号の受信を優先させるようにしたものがある。このようなものとしては、例えば、特許文献１に記載されたものがある。
【０００３】
また、他の例として、ワイヤードリモコン送信装置を接続可能とした電子機器において、ワイヤードリモコン送信装置を接続する端子に対しリモコン受光装置を固定的に装着するものも提案されている。このようなものとしては、例えば、特許文献２に記載されたものがある。
【先行技術文献】
【特許文献】
【０００４】
【特許文献１】特開平７−３２２３７４号公報
【特許文献２】特開昭６０−１８４３８３号公報
【発明の概要】
【発明が解決しようとする課題】
【０００５】
ところで、上記従来の装置のように電子機器に内蔵されている内蔵リモコン受光装置や、ワイヤードリモコン送信装置を接続する端子に固定的に取り付けられているリモコン受光装置に対し、リモコン送信装置からの赤外線信号を無線送信する場合は、赤外線ノイズ源の位置によってはリモコン操作することができない場合が生じていた。また、リモコン送信装置をリモコンケーブルで接続して使用する場合には、リモコン送信装置を自由に振り回すことができないため、取扱いが制約され易いという問題もあった。
【０００６】
以下この点について図１１に基づきさらに説明する。図１１（ａ）は、リモコン送信装置から赤外線信号を無線送信しても赤外線ノイズの影響を受けて電子機器を操作することができない場合を説明する設置例図である。この図に示す電子機器１は、天井吊具２などを用いて天吊設置された３板式液晶プロジェクタであって、一方の側面に、リモコン送信装置３からの赤外線信号３ａを受光して電気信号に変換する内蔵リモコン受光装置４が設けられている。また、他方の側面には、図１１（ｂ）のように、リモコン送信装置３をリモコンケーブル５により接続するためのリモコンケーブルコネクタ６が設けられている。なお、この例におけるリモコン送信装置３は、無線で赤外線信号３ａを送信することができるとともに、リモコンケーブル５を接続して有線で信号を伝送することができるようにも形成されたものである。
【０００７】
また、電子機器１としての３板式液晶プロジェクタが設置されている天井には、赤外線ノイズ源となる蛍光灯７が設置されている。したがって、この図１１（ａ）のようにリモコン送信装置３から内蔵リモコン受光装置４に対し無線で赤外線信号３ａを送信する場合には、蛍光灯７から放射される赤外線ノイズ７ａが内蔵リモコン受光装置４に直接的に入射され、この赤外線ノイズ７ａが赤外線信号３ａに重畳される。このため、内蔵リモコン受光装置４は、リモコン送信装置３が送信した赤外線信号３ａとは異なった赤外線信号を受光することになり、リモコン操作が利かなくなるという問題があった。
【０００８】
図１１（ｂ）は、リモコン送信装置３から電気信号をリモコンケーブル５にて伝送するワイヤードリモコン方式の場合についての設置例図である。この場合は、上記の電子機器１である天吊設置の３板式液晶プロジェクタにおけるリモコンケーブルコネクタ６に対し、リモコンケーブル５によりリモコン送信装置３を接続している。しかしながら、この場合にはリモコン送信装置３と電子機器１との間にリモコンケーブル５が常に存在するので、リモコン送信装置３の向きや位置を調節しようとすると、リモコンケーブル５の剛性力によりリモコン送信装置３を必ずしも自由に取り扱うことができないという問題があった。
【０００９】
本発明は、このような問題に鑑み、電子機器のリモコン送信装置を接続するリモコンケーブルコネクタに対し、リモコンケーブルで接続可能とするとともにリモコン送信装置からの赤外線信号の受光範囲を拡大した外付けリモコン受光装置を提供することを目的とする。また、これを用いた電子機器を提供することを目的とする。
【課題を解決するための手段】
【００１０】
本発明に係る外付けリモコン受光装置は、電子機器におけるリモコン送信装置を接続するためのリモコンケーブルコネクタに対し、リモコン送信装置を接続する場合と同一のリモコンケーブルを利用して接続される外付けリモコン受光装置であって、外部からの赤外線の侵入を遮蔽する筐体と、リモコン送信装置からの赤外線信号を受光して電気信号に変換する、筐体内に収納されたリモコン受光部と、変換された電気信号を伝送するリモコンケーブルを接続するための出力用コネクタとを備えていることを特徴とする。
【００１１】
この構成によると、リモコンケーブルを使用してリモコン送信装置をリモコンコネクタに接続する場合において、リモコン送信装置の取扱性を改善したい場合には、このリモコンケーブルコネクタに対し前記リモコンケーブルを利用して外付けリモコン受光装置を接続する。このように構成すると、外付けリモコン受光装置の設置場所を選択することにより赤外線ノイズ源からの赤外線ノイズの影響を防止し、リモコン送信装置からの赤外線信号の受光範囲を拡大することができる。
【００１２】
また、前記筐体は、着脱自在の取付手段により被固定物に固定されるように構成されていることが好ましい。このように着脱自在の取付手段により筐体が取り付けられることにより、前記外付けリモコン受光装置の取り付け位置を、現場の状況に応じた最適の位置を探りながら取り付けることができる。
【００１３】
また、前記出力用コネクタは、信号を伝送するための信号端子、接地用のＧＮＤ端子及び電子機器から電力の供給を受ける電源端子を備えていることが好ましい。このように構成すると、電子機器の電源からの電力の供給により、外付けリモコン受光装置の動作を行わせることができる。
【００１４】
また、このような外付けリモコン受光装置において、前記リモコン受光部にて受光されて変換された電気信号を増幅する信号増幅部が設けられていることが好ましい。このように構成することにより、受信した信号を所望のレベルに増幅して電子機器に送信することができる。
【００１５】
また、上記外付けリモコン受光装置において、前記出力用コネクタが複数個設けられているようにしてもよい。このように構成すれば、１台の外付けリモコン受光装置により複数台の電子機器を同時に操作することができる。
【００１６】
また、上記外付けリモコン受光装置において、他の外付けリモコン受光装置をリモコンケーブルにより接続するための入力用コネクタが１個又は複数個設けられているようにしてもよい。このように構成すれば、入力用コネクタが１個設けられている場合には、この外付けリモコン受光装置の接続のトポロジーをデイジチェーントポロジーとすることができる。また、入力用コネクタが複数個設けられている場合には、この外付けリモコン受光装置の接続のトポロジーをバストポロジーやスタートポロジーにすることができる。このように、入力用コネクタを１個又は複数個設けることにより、外付けリモコン受光装置を設置する自由度を向上させることができる。
【００１７】
また、このような外付けリモコン受光装置において、外部電源から電力の供給を受けるための電源用コネクタと、前記出力用コネクタの電源端子から供給される電源と前記電源端子から供給される電源とを選択する電源切換部とを備えているようにすることが好ましい。このように構成すれば、外付けリモコン受光装置の電源を外部電源に切り換えることにより、外付けリモコン受光装置の電圧を所望のレベルに維持することができる。なお、電子機器からの電源のみに頼っている場合は、外付けリモコン受光装置までのリモコンケーブルの長さが長くなったり、接続される外付けリモコン受光装置の数が増大したりした場合に、外付けリモコン受光装置に供給される電圧が降下し、信号を電子機器へ正常に伝送することができなくなる。
【００１８】
また、リモコン受光部と、出力用コネクタとを備えている前述の外付けリモコン受光装置において、出力用コネクタ、あるいはこの出力用コネクタと筐体との間に形成された隙間から侵入する赤外線ノイズが前記リモコン受光部に到達しないように、筐体の内部に赤外線ノイズを遮蔽する遮蔽物が形成されていることが好ましい。このように構成すれば、出力用コネクタ、あるいはこの出力用コネクタと筐体との間に形成された隙間から侵入する赤外線ノイズがリモコン受光部に伝わることを回避することができる。
【００１９】
また、リモコン受光部と、出力用コネクタと、入力用コネクタとを備えている前述の外付けリモコン受光装置において、出力用コネクタ、入力用コネクタ、あるいはこれらのコネクタと筐体との間に形成された隙間から侵入する赤外線ノイズが前記リモコン受光部に到達しないように、筐体の内部に赤外線ノイズを遮蔽する遮蔽物が形成されていることが好ましい。このように構成すれば、出力用コネクタ、入力用コネクタ、あるいはこれらのコネクタと筐体との間に形成された隙間から侵入する赤外線ノイズがリモコン受光部に伝わることを回避することができる。
【００２０】
また、リモコン受光部と、出力用コネクタと、入力用コネクタと、電源用コネクタとを備えている前述の外付けリモコン受光装置において、出力用コネクタ、入力用コネクタ、電源用コネクタ、あるいは、これらのコネクタと筐体との間に形成された隙間から侵入する赤外線ノイズが前記リモコン受光部に到達しないように、筐体の内部に赤外線ノイズを遮蔽する遮蔽物が設けられていることが好ましい。このように構成すれば、出力用コネクタ、入力用コネクタ、電源用コネクタ、あるいはこれらのコネクタと筐体との間に形成された隙間から侵入する赤外線ノイズがリモコン受光部に伝わることを回避することができる。
【００２１】
また、本発明に係る電子機器は、リモコン送信装置を接続するためのリモコンケーブルコネクタを備えるととともに、このリモコンケーブルコネクタに対しリモコン送信装置を接続する場合と同一のリモコンケーブルを利用して前記外付けリモコン受光装置を接続可能としたものである。このように構成された電子機器によれば、赤外線ノイズを受光しないように外付けリモコン受光装置を接続して設置することができ、赤外線ノイズによるリモコン操作への影響を回避することができる。
【００２２】
また、この電子機器をプロジェクタとすることができる。プロジェクタにこのような外付けリモコン受光装置を採用すると、プロジェクタを用途、設置環境に対応した多様な取り付けを行うことができるとともに多様な操作を行うことができるため、プロジェクタの操作性を向上させることができる。
【発明の効果】
【００２３】
本発明に係る外付けリモコン受光装置によれば、リモコンケーブルコネクタに対し、リモコンケーブルを利用して外付けリモコン受光装置を接続することができる。また、この外付けリモコン受光装置の設置場所を選択することにより赤外線ノイズの影響を防止することができる。
【図面の簡単な説明】
【００２４】
【図１】実施の形態に係る外付けリモコン受光装置を使用した電子機器の設置例図である。
【図２】同電子機器に対し外付けリモコン受光装置を接続した場合の概略構成を示すブロック図である。
【図３】同電子機器に対しリモコン送信装置を接続した場合の概略構成を示すブロック図である。
【図４】同電子機器に接続される外付けリモコン受光装置の概略構成を示すブロック図である。
【図５】同外付けリモコン受光装置の応用システム構成図である。
【図６】同外付けリモコン受光装置の他の応用システム構成図である。
【図７】同外付けリモコン受光装置の更なる他の応用システム構成図である。
【図８】変形例に係る外付けリモコン受光装置の応用システム構成図である。
【図９】他の変形例に係る外付けリモコン受光装置の応用システム構成図である。
【図１０】更なる他の変形例に係る外付けリモコン受光装置の応用システム構成図である。
【図１１】従来の電子機器の設置例図であり、（ａ）はワイヤレスリモコンで操作する場合の設置例図であり、（ｂ）はワイヤードリモコンで操作する場合の設置例図である。
【発明を実施するための形態】
【００２５】
以下、本発明の実施の形態１に係る外付けリモコン受光装置について図１〜図４を参照しながら説明する。なお、従来と共通する要素には同一の符合を付すものとする。
図１は、電子機器１に対し本実施の形態に係る外付けリモコン受光装置２０を接続し、リモコン送信装置３からの赤外線信号３ａをこの外付けリモコン受光装置２０で受光し、受光した赤外線信号３ａを電気信号に変換して電子機器１に送信するようにした設置例図である。
【００２６】
電子機器１は、天井吊具２により天吊設置された３板式液晶プロジェクタであって、蛍光灯７からは赤外線ノイズ７ａが電子機器１に内蔵された内蔵リモコン受光装置４に直接的に入射している。これによりリモコン送信装置の赤外線信号３ａを内蔵リモコン受光装置４で受光することが困難になっている。このため、リモコンケーブル５の一端を電子機器１のリモコンケーブルコネクタ６に接続し、他端を外付けリモコン受光装置２０の出力用コネクタ２１に接続することにより、電子機器１に対し外付けリモコン受光装置２０を接続している。また、外付けリモコン受光装置２０には、リモコン送信装置３からの赤外線信号３ａを受信するためのリモコン受光部２２が設けられている。リモコン送信装置３から送信された赤外線信号３ａは、リモコン受光部２２で受光され、受光された後電気信号に変換されている。そして、変換された電気信号は、出力用コネクタ２１に接続されたリモコンケーブル５を介して電子機器１へ伝送されるように構成されている。以下この構成について詳述する。
【００２７】
図２及び図３は、上記設置例に係る電子機器の回路構成図である。電子機器１は、一側面部に内蔵リモコン受光装置４を備えるとともに、他の側面部にリモコン送信装置３又は外付けリモコン受光装置２０をリモコンケーブル５で接続するためのリモコンケーブルコネクタ６を備えている（図１参照）。図２は、図１に示すように、リモコンケーブルコネクタ６に対しリモコンケーブル５により外付けリモコン受光装置２０を接続した設置例における電子機器の回路構成図である。
【００２８】
一方、図３は、この外付けリモコン受光装置２０に代えてリモコン送信装置３をリモコンケーブル５によりリモコンケーブルコネクタ６に直接接続した設置例における電子機器の回路構成図である。これは、従来のワイヤードリモコン方式と称されているものと同一である。なお、この場合、リモコン送信装置３は、リモコンケーブル５の剛性力によりその姿勢が制約されるため、取扱いに制限を受けることになる。これに対し前述の図２のように、外付けリモコン受光装置２０を接続するようにすると、このような不便を解消することができる。以下はリモコンケーブルコネクタ６に対しリモコンケーブル５により外付けリモコン受光装置２０を接続した例を中心に説明する。
【００２９】
電子機器１は、図２及び図３に示すように、リモコンケーブルコネクタ６にリモコンケーブル５が接続された場合にこれを検出する検出部１１と、検出部１１による検出信号を基に内蔵リモコン受光装置４からの出力信号とリモコンケーブルコネクタ６からの出力信号を切り換えてＣＰＵ１３に出力する信号切換部１２とを備えている。ＣＰＵ１３は、信号切換部１２から入力されたデータとメモリ１４に格納されたデータとを比較し、データに応じた命令を実行して被制御対象１５を制御するものである。リモコンケーブルコネクタ６からの出力信号は、図２の場合は外付けリモコン受光装置２０から伝送される出力信号であるが、図３の場合はリモコン送信装置３から伝送される出力信号となる。
【００３０】
外付けリモコン受光装置２０は、図１及び図４に示すように、筐体２３の一側部にリモコン送信装置３から送信された赤外線信号３ａを受信するためのリモコン受光部２２が設けられている。筐体２３は、外部から照射される赤外線ノイズ７ａを遮蔽する材料により形成されている。リモコン受光部２２は、図４に示すように、リモコン送信装置３から送信された赤外線信号３ａを導入するリモコン受光窓２２ａと、このリモコン受光窓２２ａに面して筐体２３の内部に配置されたリモコン受光素子２２ｂとから構成されている。リモコン受光素子２２ｂは、リモコン受光窓２２ａから導入された赤外線信号３ａを受光して電気信号に変換して出力するものである。また、リモコン受光素子２２ｂは、電源を接続するための電源入力端子、信号を出力するための信号出力端子、及び接地を可能とするためのＧＮＤ端子を備えている。
【００３１】
また、外付けリモコン受光装置２０における筐体２３の他の側面には、図１及び図４に示すように、リモコン受光素子２２ｂで電気信号に変換された信号を、リモコンケーブル５を通して電子機器１側に伝送するための出力用コネクタ２１が設けられている。この出力用コネクタ２１は、リモコンケーブル５を接続することができるように外部に開口するように突出して設けられている。また、この側面には、他の外付けリモコン受光装置２０を接続可能とするための入力用コネクタ２４及び外部電源を接続するための電源用コネクタ２５が設けられている。これら入力用コネクタ２４及び電源用コネクタ２５も、上記出力用コネクタ２１と同様に外部に開口するように突出して設けられている。
【００３２】
出力用コネクタ２１は、電子機器１の電源に接続するための電源端子、信号を出力するための信号端子、接地を可能とするためのＧＮＤ端子を備えている。そして、リモコンケーブル５は、詳細構造は図示しないが、この端子構造に対応するように構成されている。入力用コネクタ２４は、他の外付けリモコン受光装置２０へ電気を供給するための電源端子、他の外付けリモコン受光装置２０からの信号を入力するための信号端子、接地を可能とするためのＧＮＤ端子を備えている。電源用コネクタ２５は、外部電源に接続するための電源端子と接地を可能とするためのＧＮＤ端子とを備えている。
【００３３】
また、外付けリモコン受光装置２０は、筐体２３の内部に、電子機器１の電源に接続するか外部電源に接続するかを選択するための電源切換部２６と、リモコン受光素子２２ｂから出力される電気信号を出力用コネクタ２１から出力する前に所定レベルに増幅するための信号増幅部２７とを備えている。
【００３４】
また、この外付けリモコン受光装置２０における筐体２３の内部には、リモコン受光素子２２ｂを含むリモコン受光部２２が設置されているスペースと、出力用コネクタ２１、入力用コネクタ２４及び電源用コネクタ２５が設置されているスペースとを仕切るように、赤外線を遮蔽する遮蔽物２８が設けられている。このように遮蔽物２８を設けるのは次の理由による。すなわち、出力用コネクタ２１、入力用コネクタ２４及び電源用コネクタ２５は、中央にコネクタ結合用の穴が開口されている。このため、出力用コネクタ２１、入力用コネクタ２４及び電源用コネクタ２５に結合されるべきコネクタが結合されていない場合には、外付けリモコン受光装置２０の設置場所によっては出力用コネクタ２１、入力用コネクタ２４及び電源用コネクタ２５におけるコネクタ結合用の穴から赤外線ノイズ７ａが入射され、リモコン操作が阻害される場合がある。また、実際に作成した機器において、各コネクタと筐体２３との間に隙間が形成されてしまった場合、この隙間から赤外線ノイズが侵入することによりリモコン操作が阻害される場合がある。そこで、このような弊害を防止するために、出力用コネクタ２１、入力用コネクタ２４、電源用コネクタ２５のコネクタ結合用の穴や、各コネクタと筐体２３との間に形成された隙間から入射された赤外線ノイズ７ａがリモコン受光素子２２ｂを含むリモコン受光部２２に放射されるのを遮蔽する遮蔽物２８が筐体２３内に設けられている。
【００３５】
このように構成された外付けリモコン受光装置２０は、外付けリモコン受光装置２０の筐体２３に取付用のビス孔を設け被固定物にビス止めしてもよいが、設置場所や受光範囲を調節し易くするために簡易、かつ着脱可能な取付手段を用いるのが好ましい。簡易、かつ着脱可能な取付手段としては、筐体２３にクリップを取り付け被固定物にクリップ止めする、筐体２３の取付面に両面テープを貼り付け、接着力で被固定物に固定する、磁石を筐体２３の取付面に取り付け、磁力で被固定物に取り付けるなどの方法が考えられる。このような簡易、かつ着脱可能な取付手段を用いると、電子機器１やその周辺の物品などの被固定物に対し再配置がし易くなる。
【００３６】
以上のように構成された電子機器においては、次のように信号処理される。
図２に示すように、リモコン送信装置３から送信され、リモコン受光窓２２ａにて入射された赤外線信号３ａは、リモコン受光素子２２ｂで電気信号に変換される。変換された電気信号は、信号増幅部２７にて増幅された後、出力用コネクタ２１の信号端子を介して電子機器１である３板式液晶プロジェクタへ伝達される。一方、外付けリモコン受光装置２０の電源として、電子機器１の電源が出力用コネクタ２１の電源端子を介して電源切換部２６へ接続されている。
【００３７】
なお、外付けリモコン受光装置２０と電子機器１とを接続するリモコンケーブル５が長くなる場合や、後述するように外付けリモコン受光装置２０が多連接続される場合には、電子機器１の電源に頼っていると所望の電源電圧が得られなくなり、送信できなくなる場合がある。したがって、このような場合には、電源用コネクタ２５に外部電源３１（図６参照）が接続される。また、この場合には電源切換部２６により、出力用コネクタ２１からの電源を電源用コネクタ２５からの電源に切り換えてリモコン受光素子２２ｂやその他の回路に供給される。なお、この電源の切換は、ユーザがスイッチを切り換えるようにしたものでもよいが、外部電源３１に接続されたことを自動的に検出し、自動的に切り換えるように構成されていることが好ましい。なお、外部電源としては、一般の商用電源からアダプタを介して供給するものでよい。
【００３８】
次に、外付けリモコン受光装置２０から電子機器１へ伝送された信号は、図２に示すように、リモコンケーブルコネクタ６から信号切換部１２へ入力される。また、電子機器１のリモコンケーブルコネクタ６にリモコンケーブル５が接続されると、検出部１１はこれを検出し、検出信号を出力する。この検出信号は、信号切換部１２とＣＰＵ１３に入力される。これにより、信号切換部１２は、入力された検出信号を基に内蔵リモコン受光装置４の出力信号とリモコンケーブルコネクタ６からの出力信号とを切り換えて、ＣＰＵ１３に入力する。具体的には、信号切換部１２は、リモコンケーブルコネクタ６にリモコンケーブル５が接続されていないときには内蔵リモコン受光装置４からの出力を選択するが、リモコンケーブルコネクタ６にリモコンケーブル５が接続されているときには、リモコンケーブルコネクタ６からの信号を選択しこれを出力する。したがって、信号切換部１２は、図２のようにリモコンケーブルコネクタ６に外付けリモコン受光装置２０が接続されているときには、この外付けリモコン受光装置２０からの信号を選択し、これを出力する。また、信号切換部１２は、図３のようにリモコンケーブルコネクタ６にリモコン送信装置３が接続されているときには、リモコン送信装置３からの信号を選択し、これを出力する。そして、ＣＰＵ１３は、信号切換部１２から入力されたデータとメモリ１４に格納されたデータとを比較し、データに応じた命令を実行し、被制御対象１５を制御する。
【００３９】
本実施の形態に係る外付けリモコン受光装置２０及びこれを用いた電子機器１は、以上のように構成されているので次のような効果を奏することができる。
（１）電子機器１に内蔵されている内蔵リモコン受光装置４が図１に示すように蛍光灯７から放射された赤外線ノイズ７ａに曝されている状態であっても、外付けリモコン受光装置２０又はリモコン送信装置３がリモコンケーブル５によりリモコンケーブルコネクタ６に接続されている限り、内蔵リモコン受光装置４からの信号がＣＰＵに入力されない。したがって、外付けリモコン受光装置２０がリモコンケーブルコネクタ６に接続されている場合は、リモコン受光窓２２ａに赤外線ノイズ７ａが入射されないように、外付けリモコン受光装置２０の設置場所及びその向きを設定することにより、リモコン操作の動作不良を回避することができる。
【００４０】
（２）このように外付けリモコン受光装置２０を取り付けることは、リモコン送信装置３をリモコンケーブル５で接続するように設計された、既に市場に出回っているプロジェクタ等の電子機器１についても容易に実施することができる。
【００４１】
（３）プロジェクタ等の電子機器１と外付けリモコン受光装置２０との間には、従来リモコン送信装置３を接続するためのリモコンケーブル５を用いることができるので、経済的である。
【００４２】
（４）外付けリモコン受光装置２０は、プロジェクタ等の電子機器１に対しリモコンケーブル５により接続されているので、外付けリモコン受光装置２０のリモコン受光窓２２ａに赤外線ノイズ７ａが入射されないように、外付けリモコン受光装置２０を配置することができる。
【００４３】
（５）また、プロジェクタを使用したプレゼンテーションにおいて、外付けリモコン受光装置２０を接続するリモコンケーブル５を長く伸ばすことにより、プレンゼンタの操作しやすい場所、例えば、プレンゼンタの立ち位置に近くて赤外線ノイズ７ａの影響を受けにくい天井や卓上などに外付けリモコン受光装置２０を配置することができる。また、このようにすると、従来、赤外線ノイズ７ａの影響を受け易い、或いは、操作位置からプロジェクタまでの距離が遠すぎて通常は赤外線リモコンが使い難いといった問題があるような場合においても、外付けリモコン受光装置２０を介してプロジェクタをリモコン送信装置３で無線操作することができる。
【００４４】
（６）外付けリモコン受光装置２０は、両面テープ、磁石、クリップ等の簡易で、着脱可能な取付手段を用いて電子機器やその周辺の物品などの被固定物に対し取り付けられている。したがって、外付けリモコン受光装置２０の取り付け位置を、現場の状況に応じた最適の位置を探りながら取り付けることができる。
【００４５】
（７）出力用コネクタ２１は、信号を伝送するための信号端子、接地用のＧＮＤ端子及び電子機器から電力の供給を受ける電源端子を備えているので、電子機器１の電源からの電力の供給により、外付けリモコン受光装置２０を動作させることができ、構成が簡単になる。
【００４６】
（８）外付けリモコン受光装置２０は、リモコン受光素子２２ｂにて受光された赤外線信号３ａを電気信号に変換し、変換された電気信号を増幅する信号増幅部２７を備えているので、この電気信号を所望のレベルに増幅して電子機器に送信することができる。
【００４７】
（９）外付けリモコン受光装置２０は、出力用コネクタ２１及び入力用コネクタ２４
を備えているので、リモコン送信装置３をリモコン受光窓２２ａに向ける操作が煩わしいなどの理由により、ワイヤードリモコンとして利用したい場合には、図５に示すような応用システムを構成すればよい。すなわち、電子機器１に接続された外付けリモコン受光装置２０の入力用コネクタ２４に対し、リモコン送信装置３をリモコンケーブル５により接続するとともに、他のリモコン送信装置３を無線送信のために使用する。これにより、ワイヤードリモコン送信とワイヤレスリモコン送信とを両立させることができる。
【００４８】
（１０）また、外付けリモコン受光装置２０は、出力用コネクタ２１及び入力用コネクタ２４を備えているので、図６に示す応用システムのように、外付けリモコン受光装置２０を多連に接続し、それぞれの外付けリモコン受光装置２０に対しリモコン送信装置３から操作信号を送信することができる。このシステムにおいては、１台の外付けリモコン受光装置２０は、電子機器１であるプロジェクタの天井吊具２に取り付けられ、他の１台の外付けリモコン受光装置２０はプロジェクタから遠く離れた位置に取り付けられている。また、この遠く離れた方の外付けリモコン受光装置２０では、入力用コネクタ２４に対しリモコン送信装置３がリモコンケーブル５により接続されるとともに、電源用コネクタ２５に対して外部電源３１が接続されている。このように電子機器１であるプロジェクタから遠く離れた外付けリモコン受光装置２０に、外部電源３１を接続することにより、リモコンケーブル５の抵抗等による外付けリモコン受光装置２０における電圧降下を防止することができる。なお、接続のトポロジーとしては、図７に示すように３台以上の外付けリモコン受光装置２０を数珠繋ぎに接続するデイジチェーントポロジーとすることもできる。
【００４９】
（１１）また、外付けリモコン受光装置２０は、筐体２３の内部に赤外線ノイズを遮蔽する遮蔽物２８が設けられているので、出力用コネクタ２１、入力用コネクタ２４及び電源用コネクタ２５や、各コネクタと筐体２３間に形成された隙間から侵入する赤外線ノイズ７ａがリモコン受光部２２に伝わることを回避することができる。
【００５０】
（１２）本実施の形態に係る電子機器１は、赤外線ノイズ７ａを受光しないように外付けリモコン受光装置２０を接続して設置することができるので、赤外線ノイズ７ａによる操作への影響を回避することができる。
【００５１】
（変形例）
本発明は、上記実施の形態において以下のように変更することもできる。
・前述の外部電源３１は一般の商用電源を利用するものであるが、メンテナンスレス化や設置性を向上させるために太陽電池と２次電池とを組み合わせて外部電源３１を構成してもよい。このようにすれば、利用環境や要求に最適なリモコンシステムを実現することができる。
【００５２】
・前述の実施の形態において、入力用コネクタ２４を複数個設けると種々の接続トポロジーを形成することができ、外付けリモコン受光装置２０を設置する自由度を向上させることができる。図８は、出力用コネクタ２１及び入力用コネクタ２４をそれぞれ１個とした外付けリモコン受光装置２０を天井吊具２に取り付け、この外付けリモコン受光装置２０の入力用コネクタ２４に対し、変形例に係る外付けリモコン受光装置２０Ａをバストポロジーに接続したものである。この外付けリモコン受光装置２０Ａは、入力用コネクタ２４を２個としたものである。また、この外付けリモコン受光装置２０Ａから信号の伝送線路を分岐している。また、図９に示したものは、電子機器であるプロジェクタの天井吊具に他の変形例に係る外付けリモコン受光装置２０Ｂを取り付け、この外付けリモコン受光装置２０Ｂに対し出力用コネクタ２１及び入力用コネクタ２４をそれぞれ１個とした外付けリモコン受光装置２０をスタートポロジーに接続したものである。この変形例に係る外付けリモコン受光装置２０Ｂは、入力用コネクタ２４を３個としたものであり、この３個の入力用コネクタ２４それぞれに外付けリモコン受光装置２０が取り付けられている。また、外付けリモコン受光装置２０のリモコン受光窓２２ａを各種の位置及び方向に向けて取り付けている。したがって、リモコン送信装置３をいろいろな位置でいろいろな方向に向けてプロジェクタを操作することができる。
【００５３】
・前述に実施の形態において、出力用コネクタ２１を複数としてもよい。図１０における他の変形例に係る外付けリモコン受光装置２０Ｃは、出力用コネクタ２１を２個としたものである。また、この外付けリモコン受光装置２０Ｃの２個の出力用コネクタ２１それぞれに対しリモコンケーブル５が接続され、プロジェクタがそれぞれ接続されている。したがって、この場合は、１台のリモコン送信装置３からの赤外線信号３ａが１台の外付けリモコン受光装置２０に受光されて電気信号に変換される。そして、変換された電気信号が２台のプロジェクタに同時に伝送される。この結果、１台のリモコン送信装置３により２台のプロジェクタを同時に操作することができる。
【００５４】
・上記図１０の変形例において、外付けリモコン受光装置２０Ｃにおける出力用コネクタ２１を３個以上とし、３台以上のプロジェクタをこの外付けリモコン受光装置２０Ｃに接続することができる。
【００５５】
・上記図１０の変形例において、外付けリモコン受光装置２０Ｃに対し、図７のように、外付けリモコン受光装置２０をデイジチェーンに接続することもできる。また、外付けリモコン受光装置２０Ｃに対し、図８のように、入力用コネクタ２４を２個とした外付けリモコン受光装置２０Ａをバストポロジーに接続することもできる。
【００５６】
・上記図９の変形例において、外付けリモコン受光装置２０Ｂにおける出力用コネクタ２１を図１０のように２個、又は３個以上としてもよい。
【産業上の利用可能性】
【００５７】
本発明に係る外付けリモコン受光装置２０、２０Ａ，２０Ｂ，２０Ｃは、前述の３板式液晶プロジェクタ等の電子機器１に幅広く用いることができる。また、外付けリモコン受光装置２０を備えたプロジェクタは、ホームシアター、会議室、研修室、教室、娯楽場、各種展示室、スタジオなど多方面の施設における映像表示システムとして利用することができる。
【符号の説明】
【００５８】
１…電子機器、３…リモコン送信装置、３ａ…赤外線信号、５…リモコンケーブル、６…リモコンケーブルコネクタ、７ａ…赤外線ノイズ、２０，２０Ａ，２０Ｂ，２０Ｃ…外付けリモコン受光装置、２１…出力用コネクタ、２２…リモコン受光部、２３…筐体、２４…入力用コネクタ、２５…電源用コネクタ、２６…電源切換部、２７…信号増幅部、２８…遮蔽物、３１…外部電源。
【図１】
2010268290.tif 000003
【図２】
2010268290.tif 000004
【図３】
2010268290.tif 000005
【図４】
2010268290.tif 000006
【図５】
2010268290.tif 000007
【図６】
2010268290.tif 000008
【図７】
2010268290.tif 000009
【図８】
2010268290.tif 000010
【図９】
2010268290.tif 000011
【図１０】
2010268290.tif 000012
【図１１】
2010268290.tif 000013